(57)【特許請求の範囲】
【請求項１】
媒体（Ａ、Ｂ）、特に、飲料に対する分配装置（１）であって、該分配装置は、
該媒体（Ａ、Ｂ）を保持することに適したヴェッセル（４）と、
第１の液体の媒体（Ａ）を該ヴェッセル（４）に供給する第１の供給ライン（６）と、
第２の気体の媒体（Ｂ）を該ヴェッセル（４）に供給する第２の供給ライン（８）と
を備え、
該第１の供給ライン（６）と該第２の供給ライン（８）とは、互いに対して静止して配置されており、該ヴェッセル（４）が、該第１の供給ライン（６）と該第２の供給ライン（８）とに対して回転可能であるように、該ヴェッセル（４）は配置されており、そして、シーリングデバイス（２０）が提供され、該シーリングデバイス（２０）は、該ヴェッセル（４）に対して該供給ライン（６、８）を密封し、該第１の供給ライン（６）と該第２の供給ライン（８）とは、常に該第１の媒体（Ａ）の充填レベルＦの上にある該ヴェッセル（４）の領域において該ヴェッセル（４）に通じていることを特徴とする、分配装置。
【請求項２】
前記シーリングデバイス（２０）は、前記第１の媒体（Ａ）と接触していないことを特徴とする、請求項１に記載の分配装置。
【請求項３】
前記媒体（Ａ、Ｂ）は、上から前記ヴェッセル（４）の中に導入され、前記シーリングデバイス（２０）は、該第１の媒体（Ａ）の充填レベルより上に配置されていることを特徴とする、請求項１〜請求項２のうちの少なくとも１項に記載の分配装置（１）。
【請求項４】
前記第１の供給ライン（６）と前記第２の供給ライン（８）とは、チューブ（２６）の内部に配置されていることを特徴とする、請求項１〜請求項３のうちの少なくとも１項に記載の分配装置（１）。
【請求項５】
前記供給ラインの一方（６、８）が、該供給ラインの他方（８、６）の隣に誘導されていることを特徴とする、請求項１〜請求項４のうちの少なくとも１項に記載の分配装置（１）。
【請求項６】
前記供給ラインの一方（６、８）が、該供給ラインの他方（８、６）の内部に誘導されていることを特徴とする、請求項１〜請求項５のうちの少なくとも１項に記載の分配装置（１）。
【請求項７】
前記ヴェッセル（４）が回転可能であるように、該ヴェッセル（４）が配置されていることを特徴とする、請求項１〜請求項６のうちの少なくとも１項に記載の分配装置（１）。
【請求項８】
バリア媒体（Ｓ）が、回転コンポーネント（４）と静止コンポーネント（６、８）との間に提供されていることを特徴とする、請求項１〜請求項７のうちの少なくとも１項に記載の分配装置（１）。
【請求項９】
前記バリア媒体（Ｓ）が、前記回転コンポーネント（４）と前記静止コンポーネント（６、８）との間に誘導されることが可能であることを特徴とする、請求項８に記載の分配装置（１）。
【請求項１０】
前記バリア媒体（Ｓ）が、回転軸（Ｌ）に対して半径方向に、前記回転コンポーネント（４）と前記静止コンポーネント（６、８）との間に誘導されることが可能であることを特徴とする、請求項８〜請求項９のうちの少なくとも１項に記載の分配装置（１）。
【請求項１１】
前記バリア媒体（Ｓ）が蒸気であることを特徴とする、請求項８〜請求項１０のうちの少なくとも１項に記載の分配装置（１）。
【請求項１２】
前記バリア媒体（Ｓ）は、接続（９０）を経由して供給され、この接続（９０）は、静止して配置されることを特徴とする、請求項６に記載の分配装置（１）。
【請求項１３】
少なくとも１つの供給ライン（６、８）が、チューブであり、該チューブは、部分的に、前記ヴェッセル（４）の回転軸（Ｌ）の方向に延びていることを特徴とする、請求項１〜請求項１２のうちの少なくとも１項に記載の分配装置（１）。
【請求項１４】
前記第１の供給ラインの一端（６ａ）が、前記第２の供給ライン（８）の一端（８ａ）よりも低く配置されていることを特徴とする、請求項１〜請求項１３のうちの少なくとも１項に記載の分配装置（１）。
【請求項１５】
前記シーリングデバイス（２０）は、滑動リングシール（２０）であることを特徴とする、請求項１〜請求項１４のうちの少なくとも１項に記載の分配装置（１）。
【請求項１６】
前記シーリングデバイス（２０）は、シャフトスリーブ（２８）を備え、該シャフトスリーブ（２８）は、静止して配置され、該シャフトスリーブ（２８）の内部に、前記供給ライン（６、８）が配置されていることを特徴とする、請求項１〜請求項１５のうちの少なくとも１項に記載の分配装置（１）。
【請求項１７】
少なくとも１つの噴霧ヘッド（８ｂ）が、前記第２の供給ライン（８）の端（８ａ）に配置され、該噴霧ヘッドは、多数の空間方向に前記媒体を分配することを特徴とする、請求項１〜請求項１６のうちの少なくとも１項に記載の分配装置（１）。
【請求項１８】
媒体（Ａ、Ｂ）に対する分配装置のための、軸受けユニット（１００）を有するシーリングデバイス（２０）であって、該シーリングデバイス（２０）は、
シャフトスリーブ（２８）であって、静止して配置され、かつ、該シャフトスリーブ（２８）の内部に、媒体に対する少なくとも１つの供給ライン（６、８）が誘導されることが可能である、シャフトスリーブ（２８）と、
筐体（５８）であって、該シャフトスリーブ（２８）に対して回転可能に配置され、かつ、該筐体（５８）の回転軸（Ｌ）に対して該シャフトスリーブ（２８）の半径方向外側に配置されている、筐体（５８）と
を備え、
該軸受けユニット（１００）は、該筐体（５８）が該シャフトスリーブ（２８）に対して回転可能であるように、該筐体（５８）を支え、該軸受けユニット（１００）は、該回転軸（Ｌ）の方向に該シーリングデバイス（２０）に対して位置がずれていることを特徴とする、シーリングデバイス（２０）。
【請求項１９】
前記軸受けユニット（１００）は、前記シーリングデバイス（２０）より上に配置されていることを特徴とする、請求項１８に記載の軸受けユニット（１００）を有するシーリングデバイス（２０）。
【請求項２０】
前記軸受けユニット（１００）は、接続ピン（１０６）によって、前記回転軸（Ｌ）の方向に、前記シーリングデバイス（２０）から離されていることを特徴とする、請求項１８および請求項１９のうちの少なくとも１項に記載の軸受けユニット（１００）を有するシーリングデバイス（２０）。
【請求項２１】
前記シーリングデバイス（２０）は、滑動リングシール（２０）であることを特徴とする、請求項１８〜請求項２０のうちの少なくとも１項に記載の軸受けユニット（１００）を有するシーリングデバイス（２０）。
【請求項２２】
バリア媒体（Ｓ）が、前記回転軸（Ｌ）に対して半径方向に、前記シャフトスリーブ（２８）と前記筐体（５８）との間に誘導され得ることを特徴とする、請求項１８〜請求項２１のうちの少なくとも１項に記載の軸受けユニット（１００）を有するシーリングデバイス（２０）。
【請求項２３】
分配ブロック（１１４）が、前記シーリングデバイスの下に配置され、該分配ブロックは、前記回転軸（Ｌ）に対して半径方向に前記媒体を誘導することを特徴とする、請求項１８〜請求項２２のうちの少なくとも１項に記載の軸受けユニット（１００）を有するシーリングデバイス（２０）。
【請求項２４】
請求項１８〜請求項２３のうちの少なくとも１項に記載のシーリングデバイス（２０）を備えている、請求項１〜請求項１７のうちの少なくとも１項に記載の媒体に対する分配装置。
【発明の詳細な説明】
【技術分野】
【０００１】
本発明は、媒体、特に飲料の分配装置に関し、かかる分配装置に対して使用され得るシーリングデバイスにも関する。
【背景技術】
【０００２】
飲料の生産業界において、飲料に対する分配ヴェッセル（ｖｅｓｓｅｌ）は、従来技術から公知であり、該分配ヴェッセルは、当該の飲料をヴェッセルから複数の個々の充填デバイスに分配して、次に、これらの充填デバイスが、充填される容器に飲料を導入し得る。
【０００３】
充填される飲料に加えて、第２の媒体、特に、気体もまた対応する分配ヴェッセルに導入されるということも公知である。飲料と同様に、この気体は殺菌されており、殺菌状態で満たすことに役立ち、従って、殺菌した空間を維持し、該殺菌した空間によって、飲料の充填レベルが下げられる。これらの装置の一部の要素が他の要素に対して回転し得るように、これらの装置の一部の要素が配置されるように、かかる装置は部分的に円形コンベヤー上に配置される。
【０００４】
ＤＥ  １  ９０２  ０４８は、充填器における液体および気体の供給ラインを開示する。ここでは、中央液体チューブが提供され、該中央液体チューブは、充填される液体を中央液体チューブの上に配置された分配チューブの方向に輸送する。次に、これらの分配チューブが液体を個々の容器の中に運ぶ。
【０００５】
特許文献１は、同軸に配置された充填器の外側プレートを洗浄する装置を記述する。ここでは、リング形回転ダクトが提供され、該リング形回転ダクトは、充填軸の周りを回転し、充填軸の上に配置された噴霧ノズルシステムを有する。
【０００６】
ＤＥ  ２９６  ２０  ３２３  Ｕ１は、容器充填器を回転させるための回転分配器を開示する。この回転分配器は、供給ラインを有し、該供給ラインは、リング形ヴェッセルと共に回転し得る。複数の環状溝によって、飲料と気体とが静止の要素を経由してリング形ヴェッセルに供給される。
【０００７】
この装置は、満足に動作するが、高度なシーリングの複雑さが、液体と気体とを供給ラインに供給するために必要とされる。
【０００８】
ＤＥ  ６０１  ２３  ４０７  Ｔ２は、充填設備における、液体分配チューブと回転ヴェッセルとの間の回転結合に対するシールを記述する。ここでは、供給ラインが提供され、該供給ラインは、静止部分と、静止部分に対して回転し得る部分とを有する。
【特許文献１】独国特許第１９６４４３９９号明細書
【発明の開示】
【発明が解決しようとする課題】
【０００９】
従って、本発明の目的は、従来技術から公知の媒体分配器の充填の信頼度を改善することである。さらに、製造される媒体分配器に対する製造の複雑さが低減されなければならない。これらの目的は、独立請求項１と独立請求項１５との主題によって達成される。有利な実施形態とさらなる展開とが従属請求項の主題を形成する。
【課題を解決するための手段】
【００１０】
例えば、本発明は、以下を提供する。
【００１１】
（項目１）  
媒体（Ａ、Ｂ）、特に、飲料に対する分配装置（１）であって、該分配装置は、
該媒体（Ａ、Ｂ）を保持することに適したヴェッセル（４）と、
第１の好適には液体の媒体（Ａ）を該ヴェッセル（４）に供給する第１の供給ライン（６）と、
第２の好適には気体の媒体（Ｂ）を該ヴェッセル（４）に供給する第２の供給ライン（８）と
を備え、
該第１の供給ライン（６）と該第２の供給ライン（８）とは、互いに対して静止して配置されており、
該ヴェッセル（４）が、該第１の供給ライン（６）と該第２の供給ライン（８）とに対して回転し得るように、該ヴェッセル（４）は配置されており、
シーリングデバイス（２０）が提供され、該シーリングデバイス（２０）は、該ヴェッセル（４）に対して該供給ライン（６、８）を密封し、該第１の供給ライン（６）と該第２の供給ライン（８）とは、常に該第１の媒体（Ａ）の充填レベルＦの上にある該媒体（Ｂ）の領域において該ヴェッセル（４）に通じていることを特徴とする、分配装置。
【００１２】
（項目２）  
上記シーリングデバイス（２０）は、上記第１の媒体（Ａ）と接触していないことを特徴とする、項目１に記載の分配装置。
【００１３】
（項目３）  
上記媒体（Ａ、Ｂ）は、上から上記ヴェッセル（４）の中に導入され、上記シーリングデバイス（２０）は、該第１の媒体（Ａ）の充填レベルより上に配置されていることを特徴とする、項目１〜項目２のうちの少なくとも１項に記載の分配装置（１）。
【００１４】
（項目４）  
上記第１の供給ライン（６）と上記第２の供給ライン（８）とは、チューブ（２６）の内部に配置されていることを特徴とする、項目１〜項目３のうちの少なくとも１項に記載の分配装置（１）。
【００１５】
（項目５）  
上記供給ライン（６、８）の一方が、該供給ライン（６、８）の他方の隣に誘導されていることを特徴とする、項目１〜項目４のうちの少なくとも１項に記載の分配装置（１）。
【００１６】
（項目６）  
上記供給ライン（６、８）の一方が、該供給ライン（６、８）の他方の内部に誘導されていることを特徴とする、項目１〜項目５のうちの少なくとも１項に記載の分配装置（１）。
【００１７】
（項目７）  
上記ヴェッセル（４）が回転し得るように、該ヴェッセル（４）が配置されていることを特徴とする、項目１〜項目６のうちの少なくとも１項に記載の分配装置（１）。
【００１８】
（項目８）  
バリア媒体（Ｓ）が、回転コンポーネント（４）と静止コンポーネント（６、８）との間に提供されていることを特徴とする、項目１〜項目７のうちの少なくとも１項に記載の分配装置（１）。
【００１９】
（項目９）  
上記バリア媒体（Ｓ）は、接続（９０）を経由して供給され、この接続（９０）は、静止して配置されることを特徴とする、項目６に記載の分配装置（１）。
【００２０】
（項目１０）  
少なくとも１つの上記供給ライン（６、８）が、チューブであり、該チューブは、少なくとも部分的に、上記ヴェッセル（４）の回転軸（Ｌ）の方向に延びていることを特徴とする、項目１〜項目９のうちの少なくとも１項に記載の分配装置（１）。
【００２１】
（項目１１）  
上記第１の供給ラインの一端（６ａ）が、上記第２の供給ラインの一端（８ａ）よりも低く配置されていることを特徴とする、項目１〜項目１０のうちの少なくとも１項に記載の分配装置（１）。
【００２２】
（項目１２）  
上記シーリングデバイス（２０）は、滑動リングシール（２０）であることを特徴とする、項目１〜項目１１のうちの少なくとも１項に記載の分配装置（１）。
【００２３】
（項目１３）  
上記シーリングデバイス（２０）は、シャフトスリーブ（２８）を備え、該シャフトスリーブ（２８）は、静止して配置され、該シャフトスリーブ（２８）の内部に、上記供給ライン（６、８）が配置されていることを特徴とする、項目１〜項目１２のうちの少なくとも１項に記載の分配装置（１）。
【００２４】
（項目１４）  
少なくとも１つの噴霧ヘッド（８ｂ）が、上記第２の供給ライン（８）の上記端（８ａ）に配置され、該噴霧ヘッドは、多数の空間方向に上記媒体を分配することを特徴とする、項目１〜項目１３のうちの少なくとも１項に記載の分配装置（１）。
【００２５】
（項目１５）  
媒体（Ａ、Ｂ）に対する分配装置のための、軸受けユニット（１００）を有するシーリングデバイス（２０）であって、該シーリングデバイス（２０）は、
シャフトスリーブ（２８）であって、静止して配置され、かつ、該シャフトスリーブ（２８）の内部に、該媒体に対する少なくとも１つの供給ライン（６、８）が誘導され得る、シャフトスリーブ（２８）と、
筐体（５８）であって、該シャフトスリーブ（２８）に対して回転し得るように配置され、かつ、該筐体（５８）の回転軸（Ｌ）に対して該シャフトスリーブ（２８）の半径方向外側に配置されている、筐体（５８）と
を備え、
該軸受けユニット（１００）は、該筐体（５８）が該シャフトスリーブ（２８）に対して回転し得るように、該筐体（５８）を支え、該回転軸（Ｌ）の方向に該シーリングデバイス（２０）に対して位置がずれていることを特徴とする、軸受けユニット（１００）を有するシーリングデバイス（２０）。
【００２６】
（項目１６）  
上記軸受けユニット（１００）は、上記シーリングデバイス（２０）より上に配置されていることを特徴とする、項目１５に記載の軸受けユニット（１００）を有するシーリングデバイス（２０）。
【００２７】
（項目１７）  
上記軸受けユニット（１００）は、接続ピン（１０６）によって、上記回転軸（Ｌ）の方向に、上記シーリングデバイス（２０）から離されていることを特徴とする、項目１５〜項目１６のうちの少なくとも１項に記載の軸受けユニット（１００）を有するシーリングデバイス（２０）。
【００２８】
（項目１８）  
上記シーリングデバイス（２０）は、滑動リングシール（２０）であることを特徴とする、項目１５〜項目１７のうちの少なくとも１項に記載の軸受けユニット（１００）を有するシーリングデバイス（２０）。
【００２９】
（項目１９）  
バリア媒体（Ｓ）が、上記回転軸（Ｌ）に対して半径方向における上記シャフトスリーブ（２８）と上記筐体（５８）との間に誘導され得ることを特徴とする、項目１５〜項目１８のうちの少なくとも１項に記載の軸受けユニット（１００）を有するシーリングデバイス（２０）。
【００３０】
（項目２０）  
分配ブロック（１１４）が上記シーリングデバイス（２０）の下に配置され、該分配ブロック（１１４）は、上記回転軸（Ｌ）に対して半径方向に上記媒体を誘導することを特徴とする、項目１５〜項目１９のうちの少なくとも１項に記載の軸受けユニット（１００）を有するシーリングデバイス（２０）。
【００３１】
（項目２１）  
項目１５〜項目２０のうちの少なくとも１項に記載のシーリングデバイス（２０）を備えている、項目１〜項目１４のうちの少なくとも１項に記載の媒体に対する分配装置。
【００３２】
媒体、特に、飲料に対する、本発明に従った分配装置は、媒体を保持することに適したヴェッセルを備えている。また提供されるものは、第１の好適には液体の媒体をヴェッセルに供給する第１の供給ラインと、第２の好適には気体の媒体をヴェッセルに供給する第２の供給ラインとである。
【００３３】
本発明に従って、第１の供給ラインと第２の供給ラインとが、互いに対して静止して配置されており、ヴェッセルが、第１の供給ラインと第２の供給部類とに対して回転し得るように、ヴェッセルは配置され、第１の供給ラインと第２の供給ラインとは、常に第１の液体媒体の最大充填レベルの上にある媒体Ｂの領域において、すなわち、ヴェッセルの充填状態に関わらずヴェッセルに通じている。
【００３４】
ヴェッセルは、特に、追加方式のヴェッセルであり、該追加方式のヴェッセルから、充填される個々の容器が充填される。第１の液体の媒体は、好適には、充填される飲料であり、第２の媒体は、殺菌した気体、特に、殺菌した空気、殺菌した窒素（Ｎ２）または殺菌した二酸化炭素（ＣＯ２）である。ここでは、供給ラインは、特に、媒体を直接的にヴェッセルに導入する供給ラインを意味することを理解される。好適には、これらの供給ラインは、少なくとも部分的にヴェッセルの中に突出している。さらに有利な実施形態において、少なくとも１つのシーリングデバイスが提供され、該シーリングデバイスは、ヴェッセルに対して供給ラインを密封し、シーリングデバイスは、第１の液体の媒体と接触しない。さらに詳細には、シーリングデバイスの要素は、第１の液体の媒体と接触しない。ここでは、シーリングデバイスは、供給ラインとヴェッセルとの間に直接的に配置される必要はないが、むしろ、さらなる要素がシーリングデバイスとヴェッセルとの間に提供されることも可能である。
【００３５】
上で述べたように、ヴェッセルは、供給ラインに対して回転し、シールがこの回転プロセスに提供される。従って、本発明に従って、２つの殺菌した媒体は、共通して、分配装置によって供給される。シーリングデバイスが第１の液体の媒体と接触しないという事実は、１つだけのシーリングデバイスを両方の媒体に対して使用することが可能であるということを意味する。第１の媒体とシーリングデバイスとの直接的な接触を回避することによって、第１の媒体によるシーリングデバイスの汚損も防止される。さらに詳細には、シーリングデバイスは、好適には、第２の媒体、すなわち、殺菌した気体だけと接触するので、従って、シーリングデバイスの汚損は生じ得ない。
【００３６】
好適には、媒体は、上からヴェッセルの中に導入され、シーリングデバイスは、第１の媒体の充填レベルより上に配置される。さらに有利な実施形態において、第１の供給ラインと第２の供給ラインとは、チューブの内部に配置される。この場合、このチューブは、好適には、回転するように静止されて第１の供給ラインと第２の供給ラインとに接続される。さらに、一方の供給ラインが他方の供給ラインの内部に誘導されるということも可能である。好適には、気体の媒体に対する供給ラインは、第１の媒体に対する供給ラインの隣に誘導され、かつ、好適には、第１の供給ラインに平行でもある。しかしながら、一方の供給ラインが他方の供給ラインの内部に誘導されることも可能である。
【００３７】
さらに有利な実施形態において、ヴェッセルは、ヴェッセルが回転し得るように配置され、従って、供給ラインは静止している。回転可能なヴェッセルによって、次に、個々の充填要素を容器に供給することが可能となる。
【００３８】
さらに有利な実施形態において、分離媒体が回転コンポーネントと静止のコンポーネントとの間に提供される。この分離媒体は、好適には、熱い蒸気であり得、該熱い蒸気がバリアを形成するので、気体の媒体は、シーリングデバイスを経由して装置から漏れ得ない。
【００３９】
さらに有利な実施形態において、分離媒体は、接続を経由して供給され、この接続は、静止して配置されている。このために、装置は、好適には、静止して配置された筐体を有し、分離媒体に対する供給ラインがこの筐体内に提供される。
【００４０】
好適には、少なくとも１つの供給ラインが、チューブとして設計され、該チューブは、部分的に、ヴェッセルの回転軸の方向に延びている。この場合、好適には、液体の媒体に対する第１の供給ラインは、回転軸に対して回転対称となるように設計される。
【００４１】
さらに有利な実施形態において、シーリングデバイスは、滑動リングシールである。好適には、シーリングデバイスは、シャフトスリーブを備え、該シャフトスリーブは、静止して配置され、該シャフトスリーブの内部に、供給ラインは配置されている。
【００４２】
さらに有利な実施形態において、少なくとも１つの分配器ヘッドが、第２の供給ラインの出口に提供され、該分配器ヘッドは、多数の空間方向に媒体を分配する。さらに詳細には、この分配器ヘッドは、ヴェッセルの内側で多数の空間方向に気体の媒体を分配または噴霧するように設計されている。
【００４３】
本発明は、特に、上に記述されたタイプの装置に対する軸受けユニットを有するシーリングデバイスにも関する。しかしながら、本発明に従ったシーリングデバイスは、１つの媒体だけを分配する媒体分配装置に対しても使用され得るということが指摘される。
【００４４】
媒体に対する分配装置のための軸受けユニットを有する、本発明に従ったシーリングデバイスは、静止して配置されているシャフトスリーブを備え、媒体に対する少なくとも１つの供給ラインがシャフトスリーブの内部に誘導され得る。また提供されるものは、筐体であり、該筐体がシャフトスリーブに対して回転し得るように、該筐体は配置され、そして、該筐体は、筐体の回転軸に対してシャフトスリーブの半径方向外側に配置される。本発明に従って、筐体が、シャフトスリーブに対して回転し得るように、軸受けユニットは、筐体を支え、軸受けユニットは、シーリングデバイスに対して回転軸の方向に位置がずれている。
【００４５】
従来技術においては、シーリングデバイスと軸受けユニットとは、同じ高さに配置されているが、本発明に従って、シーリングデバイスと軸受けユニットとは、互いに対して位置がずれて配置されている。このように、例えば、転がり軸受けなどの軸受けユニットの要素は、シーリングデバイスの範囲から離れて維持されている。ここでは、軸受けユニットはまた、シーリングデバイスに対する非常に正確な誘導の機能を行い、さらに詳細には、シャフトスリーブに対する筐体の非常に正確な誘導の機能を行う。
【００４６】
好適には、軸受けユニットは、シーリングデバイスより上に配置され、この実施形態は、特に、上に記述されたタイプの分配装置に利益がある。
【００４７】
有利なことに、軸受けユニットは、接続ピンによって回転軸の方向にシーリングデバイスから間隔を空けられている。これらの接続ピンによって、空間が、例えば、シーリングデバイスに対するバリア媒体を誘導するためのチャネルを収容するために獲得され得る。好適には、シーリングデバイスは、滑動リングシールである。この滑動リングシールの全ての要素が、好適には、接続ピンによって軸受けユニットから間隔を空けられる。
【００４８】
好適には、バリア媒体は、回転軸に対して半径方向においてシャフトスリーブと筐体との間に誘導され得る。
【００４９】
有利なことに、分配器ブロックが、シーリングデバイスの下に配置され、該分配器ブロックは、回転軸に対して半径方向に媒体を誘導する。この実施形態において、シーリングデバイスは、特に、容器の吹き込み形成デバイスにおける使用に利益がある。
【００５０】
最後に、本発明は、上に記述されたタイプの、媒体に対する分配装置に関し、該分配装置は、上に記述されたタイプの軸受けユニットを有するシーリングデバイスを備えている。
【００５１】
さらなる利点およびさらなる実施形態が、添付の図面から明らかになる。
【発明を実施するための最良の形態】
【００５２】
図１は、媒体を分配するための、本発明に従った配置１０を示す。ここでは、矢印で示されているように、充填される製品Ａ、すなわち、飲料が上からヴェッセル４の中に充填され、そして、例えば、殺菌した空気または殺菌した二酸化炭素などの殺菌した気体Ｂもまた、上からヴェッセル４の中に充填される。例えば、蒸気などのバリア媒体（ｂａｒｒｉｅｒ  ｍｅｄｉｕｍ）Ｓが、装置のシーリングデバイス（以下で詳細に述べられる）を介して、横断方向に走る矢印Ｐ４および矢印Ｐ５の方向に導かれる。図の左手側は、洗浄モードを例示し、右手側は、生産モードを例示する。参照番号Ｃは、洗浄流体を示す。
【００５３】
参照番号１３は、ヴェッセル４における出口を示し、該出口を経由して、飲料が生産プロセスの間に放出され得る（そして、該出口を経由して、洗浄剤が洗浄プロセスの間に放出され得る）。この出口１３から開始して、飲料は充填デバイス３６を経由して、充填される容器の中に進む。ヴェッセル４と同様に、個々の充填デバイスが回転し得るように、個々の充填デバイス３６はここに配置される。
【００５４】
洗浄プロセスの間、洗浄流体がまた開口部１３と充填デバイス３６とを通って誘導されるが、それから、排出ライン３２を経由して運び出される。２つの無菌バルブ３４は、飲料生産の間には閉じられる。参照番号３３は、洗浄動作のための回転噴霧ヘッド（概略的にのみ示された）を示す。洗浄媒体Ｃは、矢印Ｐ８の方向に装置から外へり、さらなる洗浄剤Ｄがアイソレータを洗浄するために矢印Ｐ９の方向に供給され得る。
【００５５】
従って、本発明に従って、分配デバイスが、２つの殺菌した媒体に対して統一的に提案され、上で述べたように、１つのシーリングデバイスだけが両方の媒体に対して必要とされる。
【００５６】
図２ａは、図１の装置１の詳細な図を示し、さらに詳細には、飲料の生産中のシーリングデバイス２０を示す。ここでは、殺菌した飲料が、矢印Ｐ１および矢印Ｐ２の方向、すなわち、供給ライン６を経由して導入され、そして、矢印Ｐ３の方向、すなわち、第２の供給ライン８の方向に、殺菌した気体と重ねて置かれる。蒸気の供給５を経由して、分配デバイスは蒸気を供給され、該蒸気はバリア媒体として働く。ここで、入口５が分配デバイスの静止領域に配置される。出口７を経由して、蒸気は再びシーリングデバイス２０から放出され、蒸気の温度を決定するためのセンサデバイスが、この出口７に配置され得る。
【００５７】
参照番号１１は、機械的シーリング要素をその全体が示し、該機械的シーリング要素は、例えば、グラファイトまたはＳＩＣから作られ得る。ヴェッセル４（概略的にのみ示された）の内側において、参照番号Ｆは、殺菌した製品Ａの充填レベルを示し、気体の媒体Ｂ、すなわち殺菌した気体が、殺菌した製品の上に配置される。参照番号１５は、製品に対する緩衝ヴェッセルを示し、該緩衝ヴェッセルは、充填デバイス２５（図１を参照）の上に配置される。この緩衝ヴェッセル１５は、媒体Ａの充填レベルが低い場合には、空気が充填デバイス２５に入ることを防止する。上で述べられたように、ヴェッセル４が軸Ｌの周りを回転し得るように、ヴェッセル４は配置される。
【００５８】
図２ｂは、洗浄モードにおける、図１の装置に関する。ここでは、第２の供給ライン８の端８ａに配置された噴霧ヘッド８ｂを洗浄するための温水が、矢印Ｐ３の方向に導入される。従って、緩衝ヴェッセル１５を充填する温水は、矢印Ｐ２の方向にも導入され得る。殺菌した空気が、緩衝チャンバ１５を加圧するために矢印Ｐ１の方向に導入され得る。
【００５９】
洗浄モードにおいてヴェッセル４の内側に提供されるものは、温水であり、該温水は、静止の噴霧ボールによって噴霧される。圧力下の温水は、下側領域Ｅにある。
【００６０】
シーリングデバイス２０が、その全体が、常に、液体のレベルＦよりも上に配置されるということが、図２ａおよび図２ｂに見られ得る。このように、殺菌した分配器に対するシーリングデバイスが、攪拌器に対する機械的シールと同様な方法で設計され得る。さらに、完全なシーリング効果が、圧力とは無関係のシーリングと共に、全ての圧力段階を通じて達成される。充填される製品Ａはまた、熱い表面、さらに詳細には、蒸気バリアによってもたらされた熱い表面と接触することを防止される。図１の上側領域におけるシーリングデバイス２０と殺菌していない充填デバイス２５とは別個のユニットである。
【００６１】
緩衝ヴェッセル１５の洗浄は、第１の供給ライン６と噴霧ボール８ｂとを経由して行う。洗浄は、例えば、最初に水ですすぎ、次に、アルカリ性の洗浄動作、水によるさらなるすすぎ、必要であれば、次の酸性の高温の洗浄動作、そして最後に、水によるさらなるすすぎによって行われ得る。
【００６２】
ＳＩＰ（適所殺菌）洗浄動作もまた可能である。これは、緩衝ヴェッセルが、噴霧ボール８ｂによって、加圧された温水で噴霧されることによって行い、上で述べられたように、この過圧は、第１の供給ライン６を介した殺菌した空気によって達成される。殺菌はまた、緩衝ヴェッセルを加圧した温水であふれさせることによって可能となり、温水は、第１の供給ライン（生産ライン）を経由して導入され、そして、（緩衝ヴェッセル１５から空気を取り除くために）噴霧ボール８ｂを経由して排出される。
【００６３】
最後に、加圧された蒸気を用いた流水洗浄による殺菌もまた可能であり、ここでは、蒸気が第１の供給ラインと噴霧ボールとを経由して導入される。
【００６４】
図３は、図１の装置１に対する滑動リングシール２０の形式のシーリングデバイスを示す。ここでは、滑動リングシール２０は、ヴェッセル４の上に配置される。滑動リングシールは、スリーブまたはシャフトスリーブ２８を備えている。このシャフトスリーブ２８は、静止して配置され、媒体Ａおよび媒体Ｂに対する２つの供給ライン（図示せず）がシャフトスリーブの内側に配置されている。参照番号８２は、シャフトスリーブ２８をチューブ２６に対して密封するためのＯリングを示す。
【００６５】
２つの滑動リング５４が、２つのＯリング７４、Ｏリング５２によってシャフトスリーブ２８に配置されている。これらの滑動リングは、スプリング８０によって、調節リング５６に対して支持されている。参照番号８６は、誘導スリーブを示し、該誘導スリーブは、滑動リング５４に対向して配置されている。参照番号４４は、調節リング５６を拘束するためのねじを切られたピンを示す。参照番号８８は、接続リングを示し、該接続リングは、円筒ピン７８によってシャフトスリーブ２８に静止して配置されている。
【００６６】
収縮ディスク８９がこの接続リング８８の上に提供される。シャフトスリーブ２８と滑動リング５４との両方が静止して配置され、接続リング８８と収縮ディスク８９とが静止して配置されている。接続９０（該接続９０は、入口５として働く。図２ａおよび図２ｂを参照）を経由して、バリア媒体、特に、蒸気がチャネル２７を通って滑動リングシールに供給される。ここで、チャネル２７は、シャフトスリーブ２８の中に配置される。このように、蒸気に対する入口もまた静止して配置される。参照番号７６は、カウンタリングを示し、該カウンタリングは、Ｏリング７２によって筐体５８に対して支持されている。次に、この筐体５８は、六角ねじ６６によって回転するように静止されてヴェッセルの縁４６（さらに詳細には示されていない）の上に配置されている。参照番号５０は、さらなるカウンタリングを示し、該さらなるカウンタリングは、Ｏリング４８によってフランジ５９に対して支持されており、このフランジ５９は、筐体５８に配置されている。参照番号４３および参照番号４５もまた、Ｏリングを示し、参照番号５５は、フランジ５９を筐体５８に静止する円筒ねじを示す。参照番号６３は、さらなる円筒ねじを示す。
【００６７】
蒸気の出口７は、好適には、例示された蒸気の入口５に対して高さがずれ、入口に対して所定の角度で円周方向にも位置がずらされ得る。
【００６８】
筐体５８と、２つのカウンタリング５０およびカウンタリング７６とがヴェッセルと共に回転し得るように、筐体５８と、２つのカウンタリング５０およびカウンタリング７６とは配置される。
【００６９】
図４を参照して述べると、静止部分と回転部分とは、バリア媒体によって離されており、該バリア媒体は、例えば、蒸気である。このバリア媒体は、図４において黒色の範囲Ｓによって印を付けられている。これらの黒色の範囲Ｓの半径方向内側にあるものは、滑動リングシールの静止部分であり、外側にあるものは、例えば、筐体５８、２つのカウンタリング５０およびカウンタリング７６などの回転部分である。図４はまた、出口は入口のさらに外側に配置されるということ、さらに詳細には、出口は、回転要素、すなわち、筐体５８に提供されるということを示す。
【００７０】
従って、内部の分配器と蒸気チャンバとの間でエアクッション（同時に温度絶縁器）を生成するためのシャフトスリーブを有するカートリッジユニットとして、滑動リングシールを設計することが望ましい。示されているように、このシャフトスリーブ５８は、蒸気の供給および返送にも役立つ。なぜならば、シャフトスリーブ５８は、静止のコンポーネントであり、さらに、（２つの供給ライン６８が配置されている）内部の分配器への温度入力が防止されるからである。さらに、軸受けは、別個の設置準備の整ったモジュールとしてシーリングデバイスの上に提供され得るように、軸受けとシールとがまた、機能的に分離される。遅い回転速度と低い圧力とによって、滑動リングシール２０の乾式運転が可能となる。
【００７１】
図５ａは、本発明に従った、軸受けユニットを有するシーリングデバイス２０の平面図を示し、ヴェッセルは示されていない。ここで、参照番号６は、媒体Ａに対する第１の供給ラインを示し、参照番号８は、媒体Ｂに対する第２の供給ラインを示し、参照番号９は、バリア媒体Ｓに対する供給ラインを示す。
【００７２】
図５ｂは、図５ａにおける切断線Ａ−Ａに沿った、本発明に従った装置の部分側面図を示す。ここで、参照番号２０は、また再び、図３に詳細に示された滑動リングシール２０を示す。軸受けユニット１００が、シャフトスリーブ２８に対して滑動リングシールを支持するために、滑動リングシール２０の上に提供される。この軸受けユニット１００は、２つの転がり軸受けユニット１０２および転がり軸受けユニット１０４を備えている。軸受けデバイス１００は、接続ピン１０６によって滑動リングシール２０に接続されている。軸受けユニット２０の領域において、２つの供給ライン６および供給ライン９と、バリア媒体Ｓに対する供給ライン９とは、互いに平行にあり、このことが非常に小さな構成を可能にする。
【００７３】
図５ｃは、図５ａにおける切断線Ｂ−Ｂに沿った、装置の部分側面図を示す。ここでは、バリア媒体に対する供給ライン９を見ることが可能であり、該供給ライン９は、スリーブ２８の内部に配置されている。
【００７４】
斜めに延びている軸受け筐体１０８を見ることも可能であり、該軸受け筐体１０８は、装置全体を安定させることに役立つ。
【００７５】
図５ｄは、図５ａにおける切断線Ｃ−Ｃに沿った、本発明に従った装置のさらなる側面図を示す。ここでは、保持リング１１０を見ることが可能であり、該保持リング１１０は、ねじ接続１１１によって軸受け部１０８にねじ込まれている。
【００７６】
図５ｅは、図５ｂに示されたユニットの斜視図を示す。３つの供給ライン６、供給ライン８および供給ライン９に加えて、さらなるライン１７が提供されているということが見られ得る。このさらなるライン１７は、例えば、バリア媒体の戻りのために使用され得る。
【００７７】
図６ａは、さらなる実施形態において、本発明に従った、軸受けユニットを有するシーリングデバイスの平面図を示す。このシーリングデバイスの一部のコンポーネントは、図５ａ〜図５ｅに示された軸受けユニットを有するシーリングデバイスと同じ方法で設計されているので、この点に関しては、上の記述に参照が行われる。
【００７８】
図６ａ〜図６ｅに示されたシーリングデバイスは、例えば、予熱ユニットおよび吹き込み形成ユニットにおける使用に対して設計されている。従って、第２の供給ライン８は、ここには存在しておらず、第１の供給ライン６だけが存在するが、しかしながら、図６ａ〜図６ｅに示された実施形態においては、例えば、熱い空気などの気体の媒体は、該第１の供給ライン６を通って誘導される。図６ａに示されているように、この第１の供給ライン６は、シーリングデバイス２０と軸受けユニット１００とに対して中央に配置されている。
【００７９】
図６ｂは、図６ａにおける切断線Ａ−Ａに沿った、軸受けユニットを通る断面を示す。ここで、軸受けユニット１００は、接続ピン１０６によってシーリングデバイス２０から間隔を空けられているということがまた見られ得る。図５ａ〜図５ｅに示された実施形態に加えて、図６ａ〜図６ｅに示された軸受けユニット１００を有するシーリングデバイス２０はまた、分配器ブロック１１４を有し、該分配器ブロック１１４を経由して、供給ライン６を通過する媒体が半径方向外側に運ばれる。この分配器ブロック１１４は、接続ピンまたはねじ１１８によって筐体５８またはフランジ５９（図３）に配置され、動作中に、筐体５８と共に回転する。
【００８０】
図６ｃは、図６ａにおける切断線Ｂ−Ｂに沿った、軸受けユニット１００の断面図を示す。バリア媒体Ｓに対する供給ライン９がまた、この実施形態において提供されるということが見られ得る。これに関して、シーリングデバイスは、好適には、バリア媒体Ｓに対するチャンバを有し、該チャンバは、筐体２８とシャフトスリーブ２８との間に形成されるということが、また再び指摘される。
【００８１】
図６ｄは、図６ａにおける切断線Ｃ−Ｃに沿った、軸受けユニット１００を有するシーリングデバイス２０を通る断面を示す。ここでは、分配器ブロック１１４は、内部に、半径方向外側に延びるチャネル１２２を有するということが見られ得る。これらのチャネル１２２は、分配器ブロック１１４の外周における開口部１２０に至る。個々のチャネル１２２は、分配器ブロック１１４の円周方向における回転軸Ｌに対して均等に分配されている。さらに、分配器デバイスまたは分配器ブロック１１４は、基部１２４を有し、特に、気体の媒体である、供給ライン６を通って基部１２４に衝突する媒体が、外部に向かって追い立てられるように、該基部１２４は湾曲されている。さらに詳細には、基部１２４は、中央にピーク１２６を有し、半径方向にピーク１２６から下方向かつ外方向に傾斜している。従って、媒体は、分配器ブロック１１４における流れの方向に関して変えられる。ピーク１２６は、湾曲した部分１２８によって隣接されており、該湾曲した部分１２８もまた、媒体を誘導することに役立つ。
【００８２】
図６ｅは、図６ｂに示された軸受けユニット１００を有するシーリングデバイス２０の斜視図を示す。ここでは、開口部１２０は、円形であり、分配器ブロック１１４の外周の周りにおいて円周方向に均等な間隔で配置されているということが見られ得る。これらの開口部１２０は、給送ライン（図示せず）によって隣接されており、次に、該給送ラインは、容器に対する充填デバイスに通じ得る。
【００８３】
図７ａは、本発明に従った、軸受けユニットを有するシーリングデバイスのさらなる実施形態の平面図を示す。この実施形態においては、第２の供給ライン８が、第１の供給ライン６の内部に延びている。さらに詳細には、第１の供給ライン６と第２の供給ライン８とは、互いに対して同心に配置され、好適には、回転軸Ｌに対しても同心に配置され、第１の供給ライン６の流れの断面は、第２の供給ライン８の流れの断面よりもかなり大きい。その他の点では、図７ａ〜図７ｅに示された実施形態は、図５ａ〜図５ｅに示された実施形態に実質的に対応する。図７ｅに示された斜視図において、第２の供給ライン８を見ることがまた可能であり、該第２の供給ライン８は、第１の供給ライン６の内部に誘導されている。図７ａ〜図７ｅに示された実施形態は、例えば、殺菌装置のための殺菌した分配器のために提供され得る。
【００８４】
図８は、図５ａ〜図５ｅに示されたシーリングユニット２０と軸受けユニット１００との詳細な図を示し、該シーリングユニット２０と該軸受けユニット１００とは、ヴェッセル４の上に配置されている。バリア媒体、すなわち、蒸気が、最初に、長手方向Ｌに供給ライン９を経由して誘導され、次に、軸受け１００の下でそらされて、最後に、半径方向に接続９０に渡されるということが見られ得、このことは、図４にも示されている。参照番号６ａは、第１の供給ライン６の一端を示し、参照番号８ｂは、噴霧ヘッドを示し、該噴霧ヘッドは、ヴェッセル４に殺菌した媒体を供給し、すなわち、好適には、殺菌した空気、殺菌した窒素、殺菌した二酸化炭素などを提供する。
【００８５】
本出願文書において開示された特徴の全てが、従来技術に対して個々に新規であるか、または組み合わせて新規である限り、本出願文書において開示された特徴の全てが、本発明に対して不可欠であるとして請求される。
【００８６】
（摘要）
媒体（Ａ、Ｂ）、特に、飲料に対する分配装置（１）であって、該分配装置は、媒体（Ａ、Ｂ）を保持することに適したヴェッセル（４）を備え、ヴェッセル（４）に第１の液体の媒体（Ａ）を供給する第１の供給ライン（６）を備え、そして、ヴェッセル（４）に第２の気体の媒体（Ｂ）を供給する第２の供給ライン（８）を備えている、分配装置。本発明に従って、第１の供給ラインと第２の供給ラインとは、互いに対して静止して配置されており、ヴェッセル（４）が、第１の供給ライン（６）と第２の供給ライン（８）とに対して回転し得るように、ヴェッセル（４）は配置されており、第１の供給ライン（６）と第２の供給ライン（８）とは、第１の液体の媒体（Ａ）の充填レベルＦの上にある媒体Ｂの領域においてヴェッセル（４）に通じている。
【図面の簡単な説明】
【００８７】
【図１】図１は、媒体を分配するための、本発明に従った配置を示す。
【図２ａ】図２ａは、処理プロセスの間の、図１の配置の部分図を示す。
【図２ｂ】図２ｂは、図１の配置と洗浄プロセスとの部分図を示す。
【図３】図３は、本発明に従った分配装置のシーリングデバイスを示す。
【図４】図４は、バリア媒体を考慮に入れた、図３のシーリングデバイスを示す。
【図５ａ】図５ａは、軸受けユニットを有するシーリングデバイスの平面図を示す。
【図５ｂ】図５ｂは、図５ａにおける切断線Ａ−Ａに沿った、図５ａの装置の断面図を示す。
【図５ｃ】図５ｃは、図５ａにおける切断線Ｂ−Ｂに沿った断面図を示す。
【図５ｄ】図５ｄは、図５ａにおける切断線Ｃ−Ｃに沿った断面図を示す。
【図５ｅ】図５ｅは、図５ａの装置の斜視図を示す。
【図６ａ】図６ａは、さらなる実施形態において、軸受けユニットを有するシーリングデバイスの平面図を示す。
【図６ｂ】図６ｂは、図６ａにおける切断線Ａ−Ａに沿った、図６ａのシーリングデバイスの断面図を示す。
【図６ｃ】図６ｃは、図６ａにおける切断線Ｂ−Ｂに沿った断面図を示す。
【図６ｄ】図６ｄは、図６ａにおける切断線Ｃ−Ｃに沿った断面図を示す。
【図６ｅ】図６ｅは、図６ａの装置の斜視図を示す。
【図７ａ】図７ａは、さらなる実施形態において、軸受けユニットを有するシーリングデバイスの平面図を示す。
【図７ｂ】図７ｂは、図７ａにおける切断線Ａ−Ａに沿った、図７ａのシーリングデバイスの断面図を示す。
【図７ｃ】図７ｃは、図７ａにおける切断線Ｂ−Ｂに沿った断面図を示す。
【図７ｄ】図７ｄは、図７ａにおける切断線Ｃ−Ｃに沿った断面図を示す。
【図７ｅ】図７ｅは、図７ａの装置の斜視図を示す。
【図８】図８は、さらなる図において、本発明に従った装置を示す。
【図１】
0005378731.tif 000002
【図２ａ】
0005378731.tif 000003
【図２ｂ】
0005378731.tif 000004
【図３】
0005378731.tif 000005
【図４】
0005378731.tif 000006
【図５ａ】
0005378731.tif 000007
【図５ｂ】
0005378731.tif 000008
【図５ｃ】
0005378731.tif 000009
【図５ｄ】
0005378731.tif 000010
【図５ｅ】
0005378731.tif 000011
【図６ａ】
0005378731.tif 000012
【図６ｂ】
0005378731.tif 000013
【図６ｃ】
0005378731.tif 000014
【図６ｄ】
0005378731.tif 000015
【図６ｅ】
0005378731.tif 000016
【図７ａ】
0005378731.tif 000017
【図７ｂ】
0005378731.tif 000018
【図７ｃ】
0005378731.tif 000019
【図７ｄ】
0005378731.tif 000020
【図７ｅ】
0005378731.tif 000021
【図８】
0005378731.tif 000022